(57)【要約】【課題】簡易な構成でありつつ、外観品質を向上させた框接合構造を提供する。【解決手段】框接合構造は、縦框５１Ａと横框３１Ａとの框接合構造であって、縦框５１Ａの屋内側及び屋外側の少なくとも一方に設けられ、見付け面に沿って配置される縦框面部５４と、横框３１Ａに設けられ、縦框面部５４と同一平面上に配置される横框面部３４と、縦框５１Ａ及び横框３１Ａのいずれか一方に設けられ、同一平面よりも見込み方向の内側で、縦框５１Ａ及び横框３１Ａの他方の端部を、見込み方向に挟む一対の挟持部５３，５６と、を備え、縦框面部５４の端面と横框面部３４の端面とは当接することを特徴とする。【選択図】図１１
2017180041.tif 000002
【特許請求の範囲】
【請求項１】
縦框と横框との框接合構造であって、
前記縦框の屋内側及び屋外側の少なくとも一方に設けられ、見付け面に沿って配置される縦框面部と、
前記横框に設けられ、前記縦框面部と同一平面上に配置される横框面部と、
前記縦框及び前記横框のいずれか一方に設けられ、前記同一平面よりも見込み方向の内側で、前記縦框及び前記横框の他方の端部を、前記見込み方向に挟む一対の挟持部と、を備え、
前記縦框面部の端面と前記横框面部の端面とは当接することを特徴とする框接合構造。
【請求項２】
前記挟持部は、ガラスパネルの端部を支持する押縁を係止する係止部を兼ねている請求項１に記載の框接合構造。
【発明の詳細な説明】
【技術分野】
【０００１】
本発明は、開口部に設けられる建具の框接合構造に関するものである。
【背景技術】
【０００２】
従来から、開口部に設けられる建具では、四方枠状に形成された框体の内部にガラスパネルが納められたものが広く知られている。框体として、例えば特許文献１に記載のように、竪框の見込み面に沿う段部の下部が切り欠かれ、当該切り欠かれた部分に下框の見付け面に沿う肩部及び見込み面に沿う段部が嵌め込まれた印籠継ぎの構成が提案されている。
【先行技術文献】
【特許文献】
【０００３】
【特許文献１】実開平６−３７４８７号公報
【発明の概要】
【発明が解決しようとする課題】
【０００４】
しかしながら、上記の特許文献１に記載された竪框と下框との接合構造では、竪框の段部に切欠きを設けなくてはならず、当該切欠きの加工が複雑で手間がかかるという問題点がある。さらに、竪框の見込み面に沿う段部の切り欠かれた部分に下框を嵌め込む構成であるため、竪框と下框との接合部分では見付け面において、段差が生じてしまい、外観が好ましくないという問題点もある。
【０００５】
そこで、本発明は、上記事情に鑑みてなされたものであり、簡易な構成でありつつ、外観品質を向上させた框接合構造を提供する。
【課題を解決するための手段】
【０００６】
上記目的を達成するために、本発明は以下の手段を採用している。
すなわち、本発明に係る框接合構造は、縦框と横框との框接合構造であって、前記縦框の屋内側及び屋外側の少なくとも一方に設けられ、見付け面に沿って配置される縦框面部と、前記横框に設けられ、前記縦框面部と同一平面上に配置される横框面部と、前記縦框及び前記横框のいずれか一方に設けられ、前記同一平面よりも見込み方向の内側で、前記縦框及び前記横框の他方の端部を、前記見込み方向に挟む一対の挟持部と、を備え、前記縦框面部の端面と前記横框面部の端面とは当接することを特徴とする。
【０００７】
このように構成された框接合構造では、縦框の見付け面に沿う縦框面部と横框の横框面部とは同一平面上に配置されるため、当該縦框面部と横框面部との接合部分で段差が生じない。よって、縦框と横框との接合部分の外観品質を向上させることができる。
また、縦框面部の端面と横框面部の端面とは当接しつつ、縦框及び横框のいずれか一方に設けられた挟持部が、縦框及び横框の他方の端部を見込み方向に挟み込みことにより、縦框と横框とは接合されるため、縦框及び横框を簡易な構成としつつ、縦框と横框とを接合することができる。
【０００８】
また、本発明に係る框接合構造は、前記挟持部は、ガラスパネルの端部を支持する押縁を係止する係止部を兼ねていることが好ましい。
【０００９】
このように構成された框接合構造では、挟持部は、ガラスパネルの端部を支持する押縁を係止する係止部を兼ねている。よって、押縁を係止する部材とは別に、縦框及び横框の他方の端部を挟む挟持部を設ける必要がないため、縦框及び横框の一方の構成を簡易にすることができる。
【発明の効果】
【００１０】
本発明に係る框接合構造によれば、簡易な構成でありつつ、外観品質を向上させることができる。
【図面の簡単な説明】
【００１１】
【図１】本発明の第一実施形態に係る框接合構造を示す縦断面図である。
【図２】本発明の第一実施形態に係る框接合構造を示す横断面図である。
【図３】本発明の第一実施形態に係る框接合構造を屋内側から見た斜視図である。
【図４】図３のＡ部拡大図である。
【図５】図３のＢ部拡大図である。
【図６】下框と戸先框との連結部分の構成を示す斜視図である。
【図７】図６の分解斜視図である。
【図８】下框と戸先框との連結部分の構成を示す横断面図である。
【図９】下框と吊元框との連結部分の構成を示す斜視図である。
【図１０】図９の分解斜視図である。
【図１１】下框と吊元框との連結部分の構成を示す横断面図である。
【図１２】本発明の第二実施形態に係る框接合構造を示す縦断面図である。
【図１３】本発明の第二実施形態に係る框接合構造を示す横断面図である。
【発明を実施するための形態】
【００１２】
（第一実施形態）
以下、本発明の第一実施形態に係る框接合構造について、図１から図１１を用いて説明する。框接合構造を備えた建具として、縦辷り出し窓を例に挙げて説明する。
図１は、本発明の第一実施形態に係る框接合構造を示す縦断面図である。図２は、本発明の第一実施形態に係る框接合構造を示す横断面図である。図３は、本発明の第一実施形態に係る框接合構造を屋内側から見た斜視図である。なお、図３において、後述する枠体及び複層ガラスの図示を省略している。
図１から図３に示すように、縦辷り出し窓１００は、四角形枠状に形成された枠体１と、枠体１内に納められた障子２と、を備えている。
なお、以下の説明において、正面視における左右方向を見付け方向と称することがある。見付け方向のうち複層ガラス８０の中心に向かう方向を見付け方向の内側とし、反対方向を見付け方向の外側と称することがある。また、複層ガラス８０の厚み方向を見込み方向と称することがある。
【００１３】
枠体１は、水平方向に延在する上枠１１及び下枠１２と、上枠１１の両端部と下枠１２の両端部とをそれぞれ連結し上下方向に延在する縦枠１３と、を有している。
【００１４】
上枠１１は、屋外側に設けられ金属製の金属上枠１１Ａと、屋内側に設けられ樹脂製の樹脂上枠１１Ｂと、を有している。金属上枠１１Ａと樹脂上枠１１Ｂとは連結されている。
【００１５】
下枠１２は、屋外側に設けられ金属製の金属下枠１２Ａと、屋内側に設けられ樹脂製の樹脂下枠１２Ｂと、を有している。金属下枠１２Ａと樹脂下枠１２Ｂとは連結されている。
【００１６】
縦枠１３は、屋外側に設けられ金属製の金属縦枠１３Ａと、屋内側に設けられ樹脂製の樹脂縦枠１３Ｂと、を有している。金属縦枠１３Ａと樹脂縦枠１３Ｂとは連結されている。
【００１７】
障子２は、四角枠上に形成された框体２０と、框体２０内に納められた例えばペアガラス等の複層ガラス（ガラスパネル）８０と、を有している。
【００１８】
框体２０は、水平方向に延在する上框２１及び下框３１と、上框２１の戸先側及び吊元側と下框３１の戸先側及び吊元側とをそれぞれ連結し上下方向に延在する戸先框４１及び吊元框５１と、を有している。
【００１９】
上框２１は、屋外側に設けられ金属製の金属上框２１Ａと、屋内側に設けられ樹脂製の樹脂上框２１Ｂと、を有している。金属上框２１Ａと樹脂上框２１Ｂとは連結されている。
【００２０】
図４は、図３のＡ部拡大図である。図５は、図３のＢ部拡大図である。
図４及び図５に示すように、下框３１は、屋外側に設けられ金属製の金属下框（横框）３１Ａと、屋内側に設けられ樹脂製の樹脂下框３１Ｂと、を有している。金属下框３１Ａと樹脂下框３１Ｂとは連結されている。
【００２１】
金属下框３１Ａの構成について詳細に説明する。
図１に示すように、金属下框３１Ａは、下框本体部３２と、下框本体部３２の屋内側に係止された下框前側部３９と、を有している。
図６は、金属下框３１Ａと金属戸先框４１Ａとの連結部分の構成を示す斜視図である。図７は、図６の分解斜視図である。図８は、金属下框３１Ａと金属戸先框４１Ａとの連結部分の構成を示す横断面図である。
図１及び図６から図８に示すように、下框本体部３２は、水平面に沿って配置される底板部３３と、底板部３３の屋内側の端部及び屋外側の端部からそれぞれ立ち上がる内立設板部（横框面部）３４及び外立設板部３５と、を有している。
【００２２】
内立設板部３４の上端部には、屋外側に向かって屈曲された屈曲片部３４ａが設けられている。外立設板部３５の上端部には、屋内側に向かって屈曲され、先端が下方に向かって屈曲された支持片部３５ａが設けられている。
【００２３】
底板部３３における内立設板部３４と外立設板部３５の間には、上方に立ち上がる第一中間板部３６及び第二中間板部３７が設けられている。第一中間板部３６は、第二中間板部３７よりも屋内側に設けられている。
【００２４】
第一中間板部３６及び第二中間板部３７の上端部には、それぞれ屋外側に向かって屈曲された係止片部３６ａ，３７ａが設けられている。これら係止片部３６ａ，３７ａに、下框前側部３９が係止されている。
【００２５】
外立設板部３５の上下方向の途中部分と第二中間板部３７の上部とは、水平面に沿って配置された支持板部３８で連結されている。支持板部３８の下面に沿って、螺子溝３８ｇが設けられている。
【００２６】
図１に示すように、下框本体部３２の外立設板部３５、支持板部３８及び下框前側部３９の屋外側の面により、複層ガラス８０の端部が配置されるガラス支持溝１０１が形成されている。また、支持板部３８の支持片部３８ａ及び下框前側部３９の屋外側の面と複層ガラス８０との間には、シーリング材１０２が挟み込まれている。
【００２７】
図４に示すように、戸先框４１は、屋外側に設けられ金属製の金属戸先框（縦框）４１Ａと、屋内側に設けられ樹脂製の樹脂戸先框４１Ｂと、を有している。金属戸先框４１Ａと樹脂戸先框４１Ｂとは連結されている。
【００２８】
次に、金属戸先框４１Ａの構成について詳細に説明する。
図２及び図６から図８に示すように、金属戸先框４１Ａは、鉛直面に沿って配置される側板部４２と、側板部４２の屋内側の端部及び屋外側の端部からそれぞれ見付け方向の内側に向かって突出する内板部（縦框面部）４３及び外板部（挟持部）４４と、を有している。側板部４２の下端部には、螺子孔４２ｘが設けられている。
【００２９】
内板部４３の見付け方向の内側の端部には、屋外側に向かって屈曲された係止片部４３ａが設けられている。外板部４４の見付け方向の内側の端部には、屋内側に屈曲され、先端が見付け方向の外側に向かって屈曲された支持片部４４ａが設けられている。外板部４４の下端部では、支持片部４４ａが切り欠かれた切欠き部４４ｚが形成されている。
【００３０】
側板部４２における内板部４３と外板部４４との間には、見付け方向の内側に向かって突出する係止板部（挟持部）４５が設けられている。
【００３１】
係止板部４５の見付け方向の内側の端部には、屋外側に向かって屈曲され、先端が見付け方向の外側に向かって屈曲された支持片部４５ａが設けられている。係止板部４５の下端部では、支持片部４５ａが切り欠かれた切欠き部４５ｚが形成されている。
【００３２】
係止板部４５の屋内側の面には、屋内側に向かって突出する係止突起４５ｄが設けられている。
【００３３】
係止板部４５の見付け方向の途中部分と内板部４３の端部とは、見込み方向に沿って配置された連結壁部４６で連結されている。これら内板部４３の見付け方向の内側の部分及び連結壁部４６の下端部の位置は、内板部４３の見付け方向の外側の部分よりも短い。つまり、内板部４３の下端部には、見付け方向の内側で切欠き部４３ｚが形成されている。
【００３４】
切欠き部４３ｚは、内板部４３の見付け方向の内側の端部から見付け方向の外側にセットバックして設けられた縦辺部（端面）４７と、内板部４３の下端部から上方にセットバックして設けられた横辺部４８と、を有している。
【００３５】
内板部４３の係止片部４３ａ及び係止板部４５の係止突起４５ｄには、樹脂戸先框４１Ｂが係止されている。
【００３６】
図２に示すように、金属戸先框４１Ａの外板部４４、側板部４２及び係止板部４５により、複層ガラス８０の端部が配置されるガラス支持溝１０１が形成されている。また、金属戸先框４１Ａの外板部４４の支持片部４４ａと複層ガラス８０との間には、シーリング材１０２が挟み込まれている。また、金属戸先框４１Ａの係止板部４５の支持片部４５ａ及び樹脂戸先框４１Ｂの屋外側の端部と複層ガラス８０との間にも、シーリング材１０２が挟み込まれている。
【００３７】
図５に示すように、吊元框５１は、屋外側に設けられ金属製の金属吊元框（縦框）５１Ａで構成されている。
【００３８】
次に、金属吊元框５１Ａの構成について詳細に説明する。
図９は、金属下框３１Ａと金属吊元框５１Ａとの連結部分の構成を示す斜視図である。図１０は、図９の分解斜視図である。図１１は、金属下框３１Ａと金属吊元框５１Ａとの連結部分の構成を示す横断面図である。
【００３９】
図２及び図９から図１１に示すように、金属吊元框５１Ａは、鉛直面に沿って配置される側板部５２と、側板部５２の屋外側の端部から見付け方向の内側に向かって突出する外板部（挟持部）５３と、を有している。側板部５２の下端部には、螺子孔５２ｘが設けられている。
【００４０】
外板部５３の見付け方向の内側の端部には、屋内側に屈曲され、先端が見付け方向の外側に向かって屈曲された支持片部５３ａが設けられている。外板部５３の下端部では、支持片部５３ａが切り欠かれた切欠き部５３ｚが形成されている。
【００４１】
側板部５２には、屋内側に向かって突出する内側壁部（縦框面部）５４、第一係止壁部５５及び第二係止壁部（挟持部、係止部）５６が設けられている。内側壁部５４、第一係止壁部５５及び第二係止壁部５６は、屋内側から屋外側に向かって順に配置されている。
【００４２】
内側壁部５４は、側板部５２の屋内側の端部に設けられている。内側壁部５４の見付け方向の内側の端部には、屋外側に向かって屈曲された支持片部５４ａが設けられている。内側壁部５４の下端部には、見付け方向の内側で切欠き部５４ｚが形成されている。
【００４３】
切欠き部５４ｚは、内側壁部５４の見付け方向の内側の端部から見付け方向の外側にセットバックして設けられた縦辺部（端面）５７と、内側壁部５４の下端部から上方にセットバックして設けられた横辺部５８と、を有している。
【００４４】
第一係止壁部５５及び第二係止壁部５６の見付け方向の内側の端部には、屋外側に向かって屈曲された係止片部５５ａ，５６ａが設けられている。
【００４５】
第一係止壁部５５及び第二係止壁部５６は、上下方向に分断されている。第一係止壁部５５及び第二係止壁部５６は、それぞれ上側に配置された上係止部５５ｕ，５６ｕと、上係止部５５ｕ，５６ｕと隙間を有して下側に配置された下係止部５５ｄ，５６ｄと、を有している。
【００４６】
図２に示すように、金属吊元框５１Ａには、押縁６１が設けられている。押縁６１は、屋外側に設けられ金属製の金属押縁６１Ａと、屋内側に設けられ樹脂製の樹脂押縁６１Ｂと、を有している。金属押縁６１Ａと樹脂押縁６１Ｂとは連結されている。
【００４７】
金属押縁６１Ａは、見付け面に沿って配置された見付け面部６２と、見付け面部６２の見付け方向の屋外側の端部近傍から屋内側に向かって屈曲された見込み面部６６と、を有している。
【００４８】
見付け面部６２の見付け方向の外側の端部には、屋内側に向かって屈曲された係止片部６３が設けられている。見付け面部６２の見付け方向の内側の端部近傍には、屋内側に向かって突出する係止片部６４が設けられている。
【００４９】
見付け面部６２の見付け方向の内側の端部には、屋外側に向かって屈曲され、先端が見付け方向の内側に向かって屈曲された支持片部６５が設けられている。
【００５０】
見込み面部６６の屋内側の端部近傍には、見付け方向の外側に向かって突出する係止片部６７が設けられている。見込み面部６６の屋内側の端部には、見付け方向の内側に向かって屈曲され、先端が屋内側に向かって屈曲された係止壁部６８が設けられている。
【００５１】
樹脂押縁６１Ｂは、中空状に形成された本体部７１と、本体部７１から屋外側に向かって延びる支持片部７２と、本体部７１の屋外側から見付け方向の外側に向かって延びる係止片部７３と、を有している。
【００５２】
さらに、樹脂押縁６１Ｂは、本体部７１の見付け方向の外側から屋外側に向かって延びる係止壁部７４及び見付け方向外側に突出する当接片部７５と、を有している。
【００５３】
樹脂押縁６１Ｂの係止片部７３は、金属押縁６１Ａの見付け面部６２に設けられた係止片部６４に係止されている。樹脂押縁６１Ｂの係止壁部７４は、金属押縁６１Ａの係止壁部６８に係止されている。これにより、樹脂押縁６１Ｂと金属押縁６１Ａとは連結されている。
【００５４】
金属押縁６１Ａの見付け面部６２に設けられた係止片部６３は、金属吊元框５１Ａの第二係止壁部５６の係止片部５６ａに係止されている。金属押縁６１Ａの見込み面部６６に設けられた係止片部６７は、金属吊元框５１Ａの第一係止壁部５５の係止片部５５ａに係止されている。樹脂押縁６１Ｂの当接片部７５は、金属吊元框５１Ａの内側壁部５４の支持片部５４ａに当接している。これにより、押縁６１は、金属吊元框５１Ａに取り付けられている。
【００５５】
金属吊元框５１Ａの外板部５３、側板部５２及び金属押縁６１Ａの見付け面部６２により、複層ガラス８０の端部が配置されるガラス支持溝１０１が形成されている。また、金属吊元框５１Ａの外板部５３の支持片部５３ａと複層ガラス８０との間には、シーリング材１０２が挟み込まれている。また、金属押縁６１Ａの支持片部６５及び樹脂押縁６１Ｂの支持片部７２の端部と複層ガラス８０との間にも、シーリング材１０２が挟み込まれている。
【００５６】
次に、金属下框３１Ａと金属戸先框４１Ａとの連結部分の構成について説明する。
金属下框３１Ａと金属戸先框４１Ａでは、金属下框３１Ａの見付け方向の端部が金属戸先框４１Ａの側板部４２の見付け方向の内側の面に当接するように配置されるとともに、金属戸先框４１Ａの側板部４２の螺子孔４２ｘから挿通された不図示の螺子が金属下框３１Ａの螺子溝３８ｇに螺合されて、金属下框３１Ａと金属戸先框４１Ａとは連結されている。
【００５７】
このような金属下框３１Ａと金属戸先框４１Ａとの連結された状態で、金属戸先框４１Ａの外板部４４に設けられた支持板部３８の切欠き部４４ｚには、金属下框３１Ａの外立設板部（端部）３５が嵌め込まれている。金属戸先框４１Ａの外板部４４に設けられた支持片部４４ａの下端部は、金属下框３１Ａの外立設板部３５の支持片部３５ａに当接している。また、金属戸先框４１Ａの外板部４４の屋内側の面には、金属下框３１Ａの外立設板部３５の屋外側の面が当接している。
【００５８】
また、金属戸先框４１Ａの係止板部４５に設けられた支持片部４５ａの切欠き部４５ｚには、金属下框３１Ａの第二中間板部３７が嵌め込まれている。金属戸先框４１Ａの係止板部４５に設けられた支持片部４５ａの下端部は、金属下框３１Ａの第二中間板部３７の係止片部３７ａに当接している。金属戸先框４１Ａの係止板部４５の屋外側の面には、金属下框３１Ａの第二中間板部３７の屋内側の面が当接している。
【００５９】
つまり、金属戸先框４１Ａの外板部４４と係止板部４５との間に、金属下框３１Ａの外立設板部３５及び第二中間板部３７の見付け方向の端部が嵌め込まれて、挟み込まれている。
【００６０】
金属戸先框４１Ａの連結壁部４６の下端部は、金属下框３１Ａの第一中間板部３６の係止片部３６ａに当接している。
【００６１】
また、金属戸先框４１Ａの内板部４３の切欠き部４３ｚに、金属下框３１Ａの内立設板部３４が嵌め込まれている。内板部４３の切欠き部４３ｚの横辺部４８は、金属下框３１Ａの内立設板部３４の屈曲片部３４ａに当接している。内板部４３の切欠き部４３ｚの縦辺部５７は、金属下框３１Ａの内立設板部３４の見付け方向の端面（端面）に当接している。
【００６２】
図６に示すように、金属下框３１Ａの内立設板部３４の屋内側の面３４ｓと、金属戸先框４１Ａの内板部４３の屋内側の面４３ｓとは、鉛直方向及び見付け方向に沿う同一平面上に配置されている。
【００６３】
次に、金属下框３１Ａと金属吊元框５１Ａとの連結部分の構成について説明する。
金属下框３１Ａと金属吊元框５１Ａでは、金属下框３１Ａの見付け方向の端部が金属吊元框５１Ａの側板部５２の見付け方向の内側の面に当接するように配置されるとともに、金属吊元框５１Ａの側板部５２の螺子孔５２ｘから挿通された不図示の螺子が金属下框３１Ａの螺子溝３８ｇに螺合されて、金属下框３１Ａと金属吊元框５１Ａとは連結されている。
【００６４】
このような金属下框３１Ａと金属吊元框５１Ａとの連結された状態で、金属吊元框５１Ａの外板部５３に設けられた支持片部５３ａの切欠き部５３ｚには、金属下框３１Ａの外立設板部３５が嵌め込まれている。金属吊元框５１Ａの外板部５３に設けられた支持片部５３ａの下端部は、金属下框３１Ａの外立設板部３５の支持片部３５ａに当接している。また、金属吊元框５１Ａの外板部５３の屋内側の面には、金属下框３１Ａの外立設板部３５の屋外側の面が当接している。
【００６５】
また、金属吊元框５１Ａの第二係止壁部５６の下係止部５６ｄの係止片部５６ａの先端は、金属下框３１Ａの第二中間板部３７の屋内側の面に当接している。つまり、金属吊元框５１Ａの外板部５３と第二係止壁部５６の係止片部５６ａとの間に、金属下框３１Ａの外立設板部３５及び第二中間板部３７の見付け方向の端部が嵌め込まれて、挟み込まれている。
【００６６】
金属吊元框５１Ａの下係止部５５ｄの下端部は、金属下框３１Ａの第一中間板部３６の上面に当接している。
【００６７】
また、金属吊元框５１Ａの内側壁部５４の切欠き部５４ｚに、金属下框３１Ａの内立設板部３４が嵌め込まれている。内側壁部５４の切欠き部５４ｚの横辺部５８は、金属下框３１Ａの内立設板部３４の屈曲片部３４ａに当接している。内側壁部５４の切欠き部５４ｚの縦辺部５７は、金属下框３１Ａの内立設板部３４の見付け方向の端面（端面）に当接している。
【００６８】
図９に示すように、金属下框３１Ａの内立設板部３４の屋内側の面３４ｓと、金属吊元框５１Ａの内側壁部５４の屋内側の面５４ｓとは、鉛直方向及び見付け方向に沿う同一平面上に配置されている。
【００６９】
このように構成された縦辷り出し窓１００では、金属戸先框４１Ａの内板部４３の屋内側の面４３ｓ及び金属吊元框５１Ａの内側壁部５４の屋内側の面５４ｓと、金属下框３１Ａの内立設板部３４の屋内側の面３４ｓとは、同一平面上に配置される。よって、当該内板部４３の屋内側の面４３ｓ及び内側壁部５４の屋内側の面５４ｓと内立設板部３４の屋内側の面３４ｓとの間で、見込み方向に段差が生じない。したがって、金属戸先框４１Ａ及び金属吊元框５１Ａと金属下框３１Ａとの接合部分の外観品質を向上させることができる。
【００７０】
また、金属戸先框４１Ａの外板部４４と係止板部４５とが、金属下框３１Ａの外立設板部３５及び第二中間板部３７の見付け方向の端部を挟み込むことにより、金属戸先框４１Ａと金属下框３１Ａとは接合される。また、金属吊元框５１Ａの外板部５３と第二係止壁部５６の係止片部５６ａとが、金属下框３１Ａの外立設板部３５及び第二中間板部３７の見付け方向の端部を挟み込むことにより、金属吊元框５１Ａと金属下框３１Ａとは接合される。よって、金属戸先框４１Ａ、金属吊元框５１Ａ及び金属下框３１Ａを簡易な構成としつつ、金属戸先框４１Ａ及び金属吊元框５１Ａと金属下框３１Ａとを接合することができる。
【００７１】
また、金属吊元框５１Ａの第二係止壁部５６は、金属押縁６１Ａを係止する部材の機能を兼ねている。よって、金属押縁６１Ａを係止する部材とは別に、金属下框３１Ａの端部を挟む挟持部を設ける必要がないため、金属吊元框５１Ａの構成を簡易にすることができる。
【００７２】
なお、本発明に係る框接合構造は、上述した第一実施形態に限定されるものではなく、本発明の要旨を逸脱しない範囲で適宜の変更や置換等が可能である。
以下に、本発明の他の実施形態について説明するが、上述した実施形態で説明した部品や部材等と同一または同様なものについては、同一の符号を用いて説明する。
【００７３】
（第二実施形態）
次に、第二実施形態に係る框接合構造について、主に図１２及び図１３を用いて説明する。
上記に示す実施形態に係る建具では、金属枠と樹脂枠とが組み付けられるとともに金属框と樹脂框とが組み付けられた複合サッシであるが、本実施形態に係る金属枠及び金属框で構成された金属サッシである。
【００７４】
図１２は、本発明の第二実施形態に係る框接合構造を示す縦断面図である。図１３は、本発明の第二実施形態に係る框接合構造を示す横断面図である。
図１２及び図１３に示すように、本実施形態に係る縦辷り出し窓１００Ｘでは、金属下框３１Ａの内立設板部３４の屋内側の面と、金属戸先框４１Ａの内板部４３の屋内側の面とは、鉛直方向及び見付け方向に沿う同一平面上に配置されている。また、金属下框３１Ａの内立設板部３４の屋内側の面と、金属吊元框５１Ａの内側壁部５４の屋内側の面とは、鉛直方向及び見付け方向に沿う同一平面上に配置されている。
【００７５】
また、金属戸先框４１Ａの内板部４３の端面には、金属下框３１Ａの内立設板部３４の見付け方向の端面が当接している。また、金属吊元框５１Ａの内側壁部５４の端面は、金属下框３１Ａの内立設板部３４の見付け方向の端面が当接している。
【００７６】
また、金属戸先框４１Ａの外板部４４と係止板部４５との間に、金属下框３１Ａの外立設板部３５及び第二中間板部３７の見付け方向の端部が嵌め込まれて、挟み込まれている。また、金属吊元框５１Ａの外板部５３と第二係止壁部５６の係止片部５６ａとの間に、金属下框３１Ａの外立設板部３５及び第二中間板部３７の見付け方向の端部が嵌め込まれて、挟み込まれている。
【００７７】
なお、上述した実施の形態において示した各構成部材の諸形状や組み合わせ等は一例であって、本発明の主旨から逸脱しない範囲において設計要求等に基づき種々変更可能である。
【００７８】
例えば、上記に示す実施形態では、縦框及び横框の接合部分において、屋内側の面が同一平面上に配置されているが、本発明はこれに限られず、屋内側の面が同一平面上に配置されていてもよい。あるいは、屋外側の面及び屋内側の面の両方が同一平面上に配置されていてもよい。
【００７９】
また、上記に示す実施形態では、縦框と下框とが同一平面上に配置されているが、本発明はこれに限られず、縦框と上框とが同一平面上に配置されていてもよい。
【００８０】
また、上記に示す実施形態では、下框に挟持部が設けられているが、本発明はこれに限られず、縦框に挟持部が設けられていてもよい。
【００８１】
また、框接合構造を有する建具の一例として、縦辷り出し窓１００，１００Ｘを例に挙げて説明したが、本発明はこれに限られず、引違い窓、框ドア等他の建具であってもよい。
【符号の説明】
【００８２】
１００…縦辷り出し窓
１…枠体
２…障子
１１…上枠
１１Ａ…金属上枠
１１Ｂ…樹脂上枠
１２…下枠
１２Ａ…金属下枠
１２Ｂ…樹脂下枠
１３…縦枠
１３Ａ…金属縦枠
１３Ｂ…樹脂縦枠
２０…框体
２１…上框
２１Ａ…金属上框
２１Ｂ…樹脂上框
３１…下框
３１Ａ…金属下框（横框）
３３…底板部
３４…内立設板部（横框面部）
３５…外立設板部
３６…第一中間板部
３７…第二中間板部
３８…支持板部
３９…下框前側部
３１Ｂ…樹脂下框
４１…戸先框
４１Ａ…金属戸先框（縦框）
４２…側板部
４３…内板部（縦框面部）
４４…外板部（挟持部）
４５…係止板部（挟持部）
４６…連結壁部
４７…縦辺部（端面）
４８…横辺部
４１Ｂ…樹脂戸先框
５１…吊元框
５１Ａ…金属吊元框（縦框）
５２…側板部
５３…外板部（挟持部）
５４…内側壁部（縦框面部）
５５…第一係止壁部
５６…第二係止壁部（挟持部、係止部）
５７…縦辺部（端面）
５８…横辺部
６１…押縁
６１Ａ…金属押縁
６１Ｂ…樹脂押縁
６２…見付け面部
６６…見込み面部
７１…本体部
８０…複層ガラス（ガラスパネル）
１０１…ガラス支持溝
１０２…シーリング材
【図１】
2017180041.tif 000003
【図２】
2017180041.tif 000004
【図３】
2017180041.tif 000005
【図４】
2017180041.tif 000006
【図５】
2017180041.tif 000007
【図６】
2017180041.tif 000008
【図７】
2017180041.tif 000009
【図８】
2017180041.tif 000010
【図９】
2017180041.tif 000011
【図１０】
2017180041.tif 000012
【図１１】
2017180041.tif 000013
【図１２】
2017180041.tif 000014
【図１３】
2017180041.tif 000015